(57)【要約】【課題】フィルターの端部がレンジフード本体に安定して当接させることにより、異音の発生を防止できるレンジフードを提供することを目的としている。【解決手段】フィルター６に当接する弾力性を有した当接部材７をレンジフード本体１の天面内部に設けたことにより、この当接部材７が、フィルター６を押えることで、フィルター６の熱による端部の変形を防止し、フィルター６のレンジフード本体１への衝突をなくし、調理機器およびレンジフード１を運転しても異音が発生しないレンジフードが得られる。【選択図】図４
2007225135.tif 000002
【特許請求の範囲】
【請求項１】
調理機器の上方に設置され、調理時に発生する油煙を捕集するフィルターを設け排気するレンジフードにおいて、前記フィルターがレンジフード本体に衝突することを防止する部材をレンジフード本体の天面内部に設けたことを特徴とするレンジフード。
【請求項２】
部材として、フィルターに当接する弾力性を有した当接部材とすることを特徴とする請求項１記載のレンジフード。
【請求項３】
部材として、フィルターを固定するコの字形に形成した板ばねとすることを特徴とする請求項１記載のレンジフード。
【請求項４】
部材として、フィルターを固定するＬ字形に形成し先端を丸加工したコイルばねとすることを特徴とする請求項１記載のレンジフード。
【請求項５】
部材として、フィルターに当接する調整ねじとすることを特徴とする請求項１記載のレンジフード。
【請求項６】
部材として、フィルターに当接する金属製でコの字形に形成した当接部材とすることを特徴とする請求項１記載のレンジフード。
【請求項７】
コの字形に形成した当接部材を、レンジフードの天面と一体に形成したことを特徴とする請求項６記載のレンジフード。
【請求項８】
当接部材として、フィルター端部に磁力を有した部材を設け、レンジフードの天面上部に磁力を有した部材を設けたことを特徴とする請求項１記載のレンジフード。
【請求項９】
フィルター端部にマジックテープ（登録商標）を設け、レンジフードの天面上部に前記フィルター端部に設けた前記マジックテープ（登録商標）に係合する保持部材を設けたことを特徴とする請求項１記載のレンジフード。
【発明の詳細な説明】
【技術分野】
【０００１】
本発明は、調理機器の上方に設置され、調理時に発生する油煙を捕集するフィルターを設け排気するレンジフードにおいてフィルターの固定手段を設けたレンジフードに関する。
【背景技術】
【０００２】
レンジフードを使用する際、調理時に発生する油煙を効率よく少ない風量で排気するレンジフードが近年普及している（例えば、特許文献１、２参照）。
【０００３】
以下、そのレンジフードについて図２０〜図２３を参照しながら説明する。
【０００４】
図に示すように、調理時に発生する油煙や蒸気を排気するレンジフード本体１０１が壁面１０２に固定され、このレンジフード本体１０１の前面にはフロントフード１０３が設置されている。レンジフード本体１０１を運転すると、調理で発生した油煙や蒸気は室内の空気とともにレンジフード本体１０１の下部開口部より吸引されて排気ダクト１０４を通り屋外へ排出される。
【０００５】
なお、ファンケーシングユニット１０５をレンジフード本体１０１の中央部分に配置させ、左右方向より捕集ができる構成としている。この構成により、少ない風量で効率よく油煙や水蒸気を排出でき、風量を少なくしてレンジフードが使用でき、低騒音化を図っている。
【０００６】
このレンジフード本体１０１の中央部分に配置されているファンケーシングユニット１０５の下流側には左右それぞれに油を捕集するためにフィルター１０６が配置されている。
【０００７】
なお、フィルター１０６については取り外し、取り付けの際に作業が軽減されるよう一般的に薄く軽い材質のアルミが主に採用されている。
【特許文献１】特開平３−１９５８４６号公報
【特許文献２】特開平３−２８２１４６号公報
【発明の開示】
【発明が解決しようとする課題】
【０００８】
このような従来のレンジフードでは、調理機器１０７を使用して調理を行う場合、レンジフード本体１０１を運転することにより、調理機器１０７より発生する熱を上昇気流としてレンジフード本体１０１へ運ばれることとなり、レンジフード本体１０１に熱が伝わり高温となる。その際に、アルミニウム等の金属部品で薄く軽い材質で形成されたフィルター１０６にも熱が伝わることとなる。フィルター１０６は通常レンジフード本体１０１の側面にて支えられており、このフィルター１０６に熱が加わることによりフィルター１０６自体が変形し、特に端部がそりあがったり等して、フード本体１０１の天面部にフィルター１０６が衝突することとなり、音エネルギーが発生し異音がするという課題がある。
【０００９】
また、レンジフード本体１０１の運転を停止した後、調理機器１０７より発生する上昇気流がなくなることにより、レンジフード本体１０１が徐々に冷やされ、熱により変形していたフィルター１０６が元の形状に戻ろうとする際に、フード本体１０１の側面に衝突することとなり、音エネルギーが発生し異音がするという課題がある。
【００１０】
本発明は、このような従来の課題を解決するものであり、フィルター１０６の端部がレンジフード本体１０１に安定して当接させることにより、異音の発生を防止できるというレンジフードを提供することを目的としている。
【課題を解決するための手段】
【００１１】
本発明のレンジフードは、上記目的を達成するために、調理機器の上方に設置され、調理時に発生する油煙を捕集するフィルターを設け排気するレンジフードにおいて、前記フィルターがレンジフード本体に衝突することを防止する部材をレンジフード本体の天面内部に設けたことを特徴とするものである。
【００１２】
また、他の手段は、部材として、フィルターに当接する弾力性を有した当接部材とすることを特徴とするものである。
【００１３】
また、他の手段は、部材として、フィルターを固定するコの字形に形成した板ばねとすることを特徴とするものである。
【００１４】
また、他の手段は、部材として、フィルターを固定するＬ字形に形成し先端を丸加工したコイルばねとすることを特徴とするものである。
【００１５】
また、他の手段は、部材として、フィルターに当接する調整ネジとすることを特徴とするものである。
【００１６】
また、他の手段は、部材として、フィルターに当接する金属製でコの字形に形成した当接部材とすることを特徴とするものである。
【００１７】
また、他の手段は、コの字形に形成した当接部材を、レンジフードの天面と一体に形成したことを特徴とするものである。
【００１８】
また、他の手段は、当接部材として、フィルター端部に磁力を有した部材を設け、レンジフードの天面上部に磁力を有した部材を設けたことを特徴とするものである。
【００１９】
また、他の手段は、フィルター端部にマジックテープ（登録商標）を設け、レンジフードの天面上部に前記フィルター端部に設けた前記マジックテープ（登録商標）に係合する保持部材を設けたことを特徴とするものである。
【００２０】
以上のそれぞれの手段により、レンジフード本体にフィルターの端部が安定して当接するため、レンジフードを運転しても異音が発生しないレンジフードが得られる。
【発明の効果】
【００２１】
本発明によれば、フィルターがレンジフード本体に衝突することを防止する部材をレンジフード本体の天面内部に設けたことにより、部材でフィルターを押さえることによりフィルターが安定して配置されるという効果のあるレンジフードを提供できる。
【００２２】
また、部材として、フィルターに当接する弾力性を有した当接部材とすることにより、弾力性を有した当接部材によりフィルターを押さえることによりフィルターが安定して配置されるという効果のあるレンジフードを提供できる。
【００２３】
また、部材として、フィルターを固定するコの字形に形成した板ばねとすることにより、板ばねにてフィルターを押さえることにより常時フィルターがレンジフード本体に当接するという効果のあるレンジフードを提供できる。
【００２４】
また、部材として、フィルターを固定するＬ字形に形成し先端を丸加工したコイルばねとすることにより、コイルばねにてフィルターを押さえることにより常時フィルターがレンジフード本体に当接し、かつコイルばねに触れても痛々しくないという効果のあるレンジフードを提供できる。
【００２５】
また、部材として、フィルターに当接する調整ネジとすることにより、調整ネジにてフィルターの押さえ力を調整できる効果のあるレンジフードを提供できる。
【００２６】
また、部材として、フィルターに当接する金属製でコの字形に形成した当接部材とすることにより、当接部材はばね性等も有していないことより安価な部品で構成できる効果のあるレンジフードを提供できる。
【００２７】
また、コの字形に形成した当接部材を、レンジフードの天面と一体に形成したことにより、部品を追加することなくレンジフードが構成できる効果のあるレンジフードを提供できる。
【００２８】
また、当接部材として、フィルター端部に磁力を有した部材を設け、レンジフードの天面上部に磁力を有した部材を設けたことにより、フィルターとレンジフード本体がそれぞれ吸着することによりさらに安定した当接効果のあるレンジフードを提供できる。
【００２９】
また、フィルター端部にマジックテープ（登録商標）を設け、レンジフードの天面上部に前記フィルター端部に設けた前記マジックテープ（登録商標）に係合する保持部材を設けたことにより、フィルターとレンジフード本体がそれぞれ引き寄せあうことにより安定した当接効果を生み出し、かつユーザーがフィルターを取り付け、取り外しを行う際に、保持部材の重量を感じることなく、簡単に取り付け、取り外しができる効果のあるレンジフードを提供できる。
【発明を実施するための最良の形態】
【００３０】
本発明の請求項１記載のレンジフードは、フィルターがレンジフード本体に衝突することを防止する部材をレンジフード本体の天面内部に設けたものであり、部材によりフィルターを押さえることによりフィルターが安定して配置される作用を有する。
【００３１】
また、請求項２記載のレンジフードは、部材として、フィルターに当接する弾力性を有した当接部材とするものであり、弾力性を有した当接部材によりフィルターを押さえることによりフィルターが安定して配置される作用を有する。
【００３２】
また、請求項３記載のレンジフードは、部材として、フィルターを固定するコの字形に形成した板ばねとするものであり、板ばねにてフィルターを押さえることにより常時フィルターがレンジフード本体に当接する作用を有する。
【００３３】
また、請求項４記載のレンジフードは、部材として、フィルターを固定するＬ字形に形成し先端を丸加工したコイルばねとするものであり、コイルばねにてフィルターを押さえることにより常時フィルターがレンジフード本体に当接し、かつコイルばねに触れても痛々しくない作用を有する。
【００３４】
また、請求項５記載のレンジフードは、部材として、フィルターに当接する調整ネジとするものであり、調整ネジにてフィルターの押さえ力を調整できる作用を有する。
【００３５】
また、請求項６記載のレンジフードは、部材として、フィルターに当接する金属製でコの字形に形成した当接部材とするものであり、当接部材はばね性等も有していないことより安価な部品で構成できる作用を有する。
【００３６】
また、請求項７記載のレンジフードは、コの字形に形成した当接部材を、レンジフードの天面と一体に形成したものであり、部品を追加することなくレンジフードが構成できる作用を有する。
【００３７】
また、請求項８記載のレンジフードは、当接部材として、フィルター端部に磁力を有した部材を設け、レンジフードの天面上部に磁力を有した部材を設けたものであり、磁力を有した部材を設けたことにより、フィルターとレンジフード本体がそれぞれ吸着することによりさらに安定した当接効果の作用を有する。
【００３８】
また、請求項９記載のレンジフードは、フィルター端部にマジックテープ（登録商標）を設け、レンジフードの天面上部に前記フィルター端部に設けた前記マジックテープ（登録商標）に係合する保持部材を設けたものであり、フィルターとレンジフード本体がそれぞれ引き寄せあうことにより安定した当接効果を生み出し、かつユーザーがフィルターを取り付け、取り外しを行う際に、保持部材の重量を感じることなく、簡単に取り付け、取り外しができる作用を有する。
【００３９】
以下、本発明の実施の形態について図面を参照しながら説明する。
【００４０】
（実施の形態１）
図１および図２に示すように、壁面２に固定されたレンジフード本体１とレンジフード本体１の側方には台所用品等を収納する吊り戸棚３が配置されている。レンジフード本体１の下方には調理機器４が備えられ、調理機器４を使用した際に油煙や水蒸気が発生し、油煙や水蒸気を排出するために、レンジフード本体１の内部中央に設けられたファンケーシング５を配置している。ファンケーシング５については左右方向より吸込みが可能で低風量にて確実に油煙や水蒸気を排出することができ、キッチン内を快適な空間に保つことができる。また、ファンケーシング５の下流側にはファンケーシング５への油付着及び屋外への油の排出を防止する為に、油煙をキャッチするフィルター６が左右にそれぞれ配置されている。このフィルター６についてはユーザーの清掃性を高めるために、取り付け、取り外しが簡単にできるように、可能な限り軽量化が望まれ一般的には金属性のアルミニウムを採用している場合がほとんどである。
【００４１】
調理機器４を使用した際にはレンジフード本体１およびフィルター６等が高温となり、特にフィルター６については熱が加わるとそりが生じやすくなりレンジフード本体１の天面部分と衝突することとなり音エネルギーとして異音が発生しやすくなる。
【００４２】
なお、図３、４に示すように、レンジフード本体１の天面上部に弾力性を有する当接部材７を設けている。
【００４３】
上記構成により、調理機器４を使用した際にフィルター６に熱が加わりそり等が生じやすくなっても弾力性を有する当接部材７が押さえることによりそりが生じずレンジフード本体１に衝突することなく異音の発生を防止することができる。
【００４４】
（実施の形態２）
図５、６に示すように、レンジフード本体１Ａに対して固定ネジ９にてコの字形に形成した板ばね８が取り付けられている。
【００４５】
上記構成において、調理機器４を使用した際にフィルター６に熱が加わりフィルター６がそりやすくなってもコの字形に形成した板ばね８によってフィルター６が常にレンジフード本体１Ａに当接し、衝突がなく異音の発生を防止することができる。
【００４６】
（実施の形態３）
図７、８に示すように、レンジフード本体１Ａに対して固定ネジ１１にてＬ字形に形成し先端を丸加工したコイルばね１０が取り付けられている。
【００４７】
上記構成において、調理機器４を使用した際にフィルター６に熱が加わりそりやすくなってもＬ字形に形成し先端を丸加工したコイルばね１０によってフィルター６が常にレンジフード本体１Ａに当接するため、異音の発生を防止することができ、かつ、コイルばねには突起等がないことよりユーザーがコイルばねに触れても痛々しくなく清掃性に優れることとなる。
【００４８】
（実施の形態４）
図９、１０に示すように、レンジフード本体１のフィルター６挿入部１３に調整ねじ１２を設けている。
【００４９】
上記構成において、調理機器４を使用した際にフィルター６に熱が加わりそりやすくなっても、調整ねじ１２によりフィルター６が常にレンジフード本体１に当接しているため衝突がなく異音の発生を防止することができ、かつ調整ねじ１２の締め付け力により押さえ力も調整でき、取り外し性もユーザーの好みにより調整することはできる。
【００５０】
（実施の形態５）
図１１、１２に示すように、レンジフード本体１Ａに対して固定ねじ１１により金属製のコの字形に形成した当接部材Ｂ１４を取り付けている。
【００５１】
上記構成において調理機器４を使用した際にフィルター６に熱が加わりそりやすくなっても金属性のコの字形に形成した当接部材Ｂ１４によりフィルター６がレンジフード本体１Ａに当接するため、衝突がなく異音の発生を防止することができ、かつ金属製の当接部材Ｂ１４はばね性等も有していないため、一般的に安価な材料とすることができる。
【００５２】
（実施の形態６）
図１３、１４に示すように、レンジフード本体１Ｂの天面上部に当接部１５を形成している。
【００５３】
上記構成において、調理機器４を使用した際にフィルター６に熱が加わりそりやすくなってもレンジフード本体１Ｂ天面上部に設けた当接部１５がフィルター６に当接するため、衝突がなく異音の発生を防止することができ、かつ部品を追加することなく構成することができる。
【００５４】
（実施の形態７）
図１５〜図１７に示すように、フィルター６Ａに取手１８が取り付く面の対向する位置に磁力を有した部材Ａ１７を設け、レンジフード本体１Ｃの天面上部に磁力を有した部材Ｂ１６を設けている。
【００５５】
上記構成において調理機器４を使用した際にフィルター６Ａに熱が加わりそりやすくなってもフィルター６Ａ及びレンジフード本体１Ｃにそれぞれ磁力を有した部材Ａ１７、部材Ｂ１６が吸着しあう為、フィルター６Ａがきっちり固定されるため衝突等なく異音の発生を防止することができる。
【００５６】
（実施の形態８）
図１８、１９に示すように、フィルター６Ｂに取手１８Ａが取り付く面の対向する位置にマジックテープ（登録商標）２０を設け、レンジフード本体１Ｄの天面上部に補助金具２１を取付ねじ２２にて固定し、この補助金具２１にはマジックテープ（登録商標）２０に係合する保持部材１９を設けている。
【００５７】
上記構成において、調理機器４を使用した際にフィルター６Ｂに熱が加わりそりやすくなってもフィルター６Ｂがマジックテープ（登録商標）２０およびマジックテープ（登録商標）２０に係合する保持部材１９により、それぞれが引き合うことにより安定した当接効果を生み出すため、フィルター６Ｂがきっちり固定され衝突等なく異音の発生を防止することができる。
【産業上の利用可能性】
【００５８】
本発明のレンジフードのフィルターを固定する構成は、熱機器等、加熱される金属部品のそり防止対策等の機器にも適用でき有用である。
【図面の簡単な説明】
【００５９】
【図１】本発明の実施の形態１のレンジフードの設置状態を示す正面図
【図２】同レンジフードの設置状態を示す斜視図
【図３】同レンジフードの部材の取り付け状態を示す構成図
【図４】同レンジフードのフィルターと部材の配置関係を示す構成図
【図５】本発明の実施の形態２のレンジフードの部材の取り付け状態を示す構成図
【図６】同レンジフードの板ばねの取り付け状態を示す構成図
【図７】本発明の実施の形態３のレンジフードのコイルばねの取り付け状態を示す構成図
【図８】同レンジフードのコイルばねの取り付け状態を示す構成図
【図９】本発明の実施の形態４のレンジフードの調整ねじの取り付け状態を示す構成図
【図１０】同レンジフードの調整ねじの取り付け状態を示す構成図
【図１１】本発明の実施の形態５のレンジフードの当接部材Ｂの取り付け状態を示す構成図
【図１２】同レンジフードの当接部材Ｂの取り付け状態を示す構成図
【図１３】本発明の実施の形態６のレンジフードの当接部の取り付け状態を示す構成図
【図１４】同レンジフードの当接部の取り付け状態を示す構成図
【図１５】本発明の実施の形態７のレンジフードの部材Ｂの取り付け状態を示す構成図
【図１６】同レンジフードの部材Ａの取り付け状態を示す斜視図
【図１７】同レンジフードの部材Ｂの取り付け状態を示す構成図
【図１８】本発明の実施の形態８のレンジフードの保持部材の取り付け状態を示す構成図
【図１９】同レンジフードのフィルターのマジックテープ（登録商標）の取り付け状態を示す斜視図
【図２０】従来のレンジフードの設置状態を示す斜視図
【図２１】同レンジフードの設置状態を示す斜視図
【図２２】同レンジフードのフィルターと部材の配置関係を示す構成図
【図２３】同レンジフードの設置状態を示す正面図
【符号の説明】
【００６０】
１    レンジフード本体
１Ａ  レンジフード本体
１Ｂ  レンジフード本体
１Ｃ  レンジフード本体
１Ｄ  レンジフード本体
４    調理機器
６    フィルター
６Ａ  フィルター
６Ｂ  フィルター
７    当接部材
８    板ばね
１０  コイルばね
１２  調整ねじ
１４  当接部材Ｂ
１５  当接部
１６  部材Ｂ
１７  部材Ａ
１９  保持部材
２０  マジックテープ（登録商標）
【図１】
2007225135.tif 000003
【図２】
2007225135.tif 000004
【図３】
2007225135.tif 000005
【図４】
2007225135.tif 000006
【図５】
2007225135.tif 000007
【図６】
2007225135.tif 000008
【図７】
2007225135.tif 000009
【図８】
2007225135.tif 000010
【図９】
2007225135.tif 000011
【図１０】
2007225135.tif 000012
【図１１】
2007225135.tif 000013
【図１２】
2007225135.tif 000014
【図１３】
2007225135.tif 000015
【図１４】
2007225135.tif 000016
【図１５】
2007225135.tif 000017
【図１６】
2007225135.tif 000018
【図１７】
2007225135.tif 000019
【図１８】
2007225135.tif 000020
【図１９】
2007225135.tif 000021
【図２０】
2007225135.tif 000022
【図２１】
2007225135.tif 000023
【図２２】
2007225135.tif 000024
【図２３】
2007225135.tif 000025